(57)【特許請求の範囲】
【請求項１】
建物の小屋裏（１）に敷設されて、空気が充填されて膨らんだ断熱姿勢と空気が抜かれて萎んだ非断熱姿勢との間で切替可能とされたエアマット（１０）・・と、エアマット（１０）・・に対する給排気を行う給排気手段（１１）・・と、室内に設けられたスイッチ（１２）・・の操作によって給排気手段（１１）・・の作動を制御する制御手段（１３）とを備えた建物の断熱システムであって、エアマット（１０）・・は、小屋裏（１）によって覆われた各部屋（２）・・毎に、その天井裏（４）・・に対応してそれぞれ配置され、それらエアマット（１０）・・の姿勢は別々に切替可能とされていることを特徴とする建物の断熱システム。
【請求項２】
エアマット（１０）は、複数の空気封入体（１４）・・を上下に積層してなり、それら空気封入体（１４）・・の内部空間同士が通気路（１８）を介して連通されている請求項１に記載の建物の断熱システム。
【請求項３】
エアマット（１０）は、複数の空気封入体（１４）・・を横並びに組み合わせてなり、それら空気封入体（１４）・・の内部空間同士が通気路（１８）・・を介して連通されている請求項１に記載の建物の断熱システム。
【発明の詳細な説明】
【技術分野】
【０００１】
この発明は、エアマットを断熱材として利用した建物の断熱システムに関する。
【背景技術】
【０００２】
一般に、住宅等の建物の小屋裏においては、夏場の昼間には非常に暑くなり、冬場の夜間には非常に寒くなることから、室内の冷暖房効率の低下を防ぐために、例えば天井材の上面に沿うようにしてグラスウール等の断熱材が敷設されている。
【０００３】
ところが、グラスウール等の断熱材は、嵩高くて施工が面倒であり、保管や運搬のための費用も嵩むといった不具合があった。そこで、断熱材としてエアマットを利用することが提案されている（例えば、特許文献１参照）。
【先行技術文献】
【特許文献】
【０００４】
【特許文献１】特開平６−１８５１３４号公報
【発明の概要】
【発明が解決しようとする課題】
【０００５】
エアマットを断熱材として利用する場合、空気が抜かれてシート状に萎んだ状態のエアマットを現場に搬入して、小屋裏の所定場所に敷設した後、空気を充填して膨らませることで、簡単に施工することができ、保管や運搬のための費用も削減することができる。
【０００６】
しかしながら、従来においては、エアマットを一旦敷設すると、膨らませた状態のまま放置していたので、グラスウール等の断熱材と同様に断熱機能を発揮するのみで、以下のような不具合があった。すなわち、小屋裏においては、上述したように夏場の昼間は室内よりも暑く、冬場の夜間は室内よりも寒くなるが、逆に日照条件等によっては、夏場の夜間は室内よりも涼しく、冬場の昼間は室内よりも暖かくなることがある。このような場合、夏場の夜間は室内の熱を小屋裏に放出し、冬場の昼間は小屋裏の熱を室内に取り入れることで、室内の冷暖房効率を高めて、省エネルギー化を実現できる。
【０００７】
ところが、エアマットが断熱機能を発揮するのみであれば、小屋裏と室内との間での熱移動は常時阻止されることから、上記のように季節毎、昼夜毎に変化する小屋裏の熱環境に応じた断熱制御を行うことができず、省エネルギー化を効果的に実現することができなかった。
【０００８】
そこで、本発明は、上記の不具合を解消して、小屋裏に敷設するエアマットの姿勢切替を簡単に行えるようにすることで、小屋裏の熱環境に応じた断熱制御を可能として、省エネルギー化を効果的に実現することができる建物の断熱システムの提供を目的とする。
【課題を解決するための手段】
【０００９】
上記課題を解決するため、本発明の建物の断熱システムは、建物の小屋裏１に敷設されて、空気が充填されて膨らんだ断熱姿勢と空気が抜かれて萎んだ非断熱姿勢との間で切替可能とされたエアマット１０・・と、エアマット１０・・に対する給排気を行う給排気手段１１・・と、室内に設けられたスイッチ１２・・の操作によって給排気手段１１・・の作動を制御する制御手段１３とを備えており、エアマット１０・・が、小屋裏１によって覆われた各部屋２・・毎に、その天井裏４・・に対応してそれぞれ配置され、それらエアマット１０・・の姿勢が別々に切替可能とされていることを特徴としている。
【００１１】
さらに、エアマット１０は、複数の空気封入体１４・・を上下に積層してなり、それら空気封入体１４・・の内部空間同士が通気路１８を介して連通されている。
【００１２】
さらにまた、エアマット１０は、複数の空気封入体１４・・を横並びに組み合わせてなり、それら空気封入体１４・・の内部空間同士が通気路１８・・を介して連通されている。
【発明の効果】
【００１３】
この発明の建物の断熱システムにおいては、小屋裏に敷設する断熱材としてエアマットを使用するため、施工を簡単にして、保管や運搬等のための費用も削減することができる。しかも、室内でのスイッチ操作によって、エアマットを断熱姿勢と非断熱姿勢との間で簡単に切り替えることができるため、単に小屋裏と室内との間での熱移動を阻止するだけでなく、小屋裏の熱を室内に取り入れたり、室内の熱を小屋裏に放出させるといったように、小屋裏の熱環境に応じた断熱制御が可能となり、省エネルギー化を効果的に実現することができる。
【００１４】
また、姿勢切替が別々に行われる複数のエアマットを、各部屋毎にその天井裏に対応して配置しているので、各部屋の状況に応じた各部屋毎の断熱制御が可能となり、機能性の向上を図ることができる。
【００１５】
さらに、複数の空気封入体を上下に積層してなるエアマットを用いることで、エアマット内の空気の対流を抑えながらも、エアマットの厚みを増大して断熱性能の向上を図ることができる。
【００１６】
さらにまた、複数の空気封入体を横並びに組み合わせてなるエアマットを用いることで、空気封入体の個数や配置を適宜調整するだけで、小屋裏に対応した所望の大きさや形状にすることができ、設備費の低減及び施工性の向上を図ることができる。
【図面の簡単な説明】
【００１７】
【図１】この発明の一実施形態に係る建物の断熱システムを示す断面図である。
【図２】同じくその分解斜視図である。
【図３】同じくそのブロック図である。
【図４】エアマットの断熱姿勢及び非断熱姿勢を示した断面図である。
【図５】夏場の昼間における断熱制御を示した断面図である。
【図６】夏場の夜間における断熱制御を示した断面図である。
【図７】冬場の昼間における断熱制御を示した断面図である。
【図８】冬場の夜間における断熱制御を示した断面図である。
【図９】部屋毎の断熱制御を示した断面図である。
【図１０】エアマットの変形例を示した分解斜視図である。
【図１１】エアマットの別の変形例を示した分解斜視図である。
【発明を実施するための形態】
【００１８】
以下、この発明の実施形態を図面に基づいて詳細に説明する。この発明の実施形態に係る断熱システムは、図１乃至図３に示すように、住宅の小屋裏１に敷設されて、空気が充填されて膨らんだ断熱姿勢と空気が抜かれて萎んだ非断熱姿勢との間で切替可能とされたエアマット１０・・と、これらエアマット１０・・に対する給排気を行う給排気手段１１・・と、室内に設けられたスイッチ１２・・の操作によって給排気手段１１・・の作動を制御する制御手段１３とを備えている。
【００１９】
エアマット１０は、ナイロン、塩化ビニール、各種ゴム等の気密性を有する素材によって成形された単一の空気封入体１４からなる。この空気封入体１４は、図２及び図４に示すように、互いに平行な複数の大径筒部１５・・同士を、複数の小径筒部１６・・によって連通状態に連結することで、全体的に平面視略方形状に形成されている。
【００２０】
そして、空気が充填された断熱姿勢において、図４（ａ）に示すように、大径筒部１５が断面略正六角形状に、小径筒部１６が断面略長方形状にそれぞれ膨らんで、表裏面に筋状の凹凸が形成されたマット状となって、空気封入体１４を介しての熱移動を阻止するようになっている。なお、このとき大径筒部１５の厚みＨは１５〜２０ｍｍに抑えられていて、空気封入体１４の内部空間内で空気の対流を生じさせないようにして、断熱性能を良好に維持するようになっている。また、空気が抜かれた非断熱姿勢において、図４（ｂ）に示すように、全体的に薄肉のシート状となって、空気封入体１４を介しての熱移動を許容するようになっている。なお、空気封入体１４の表裏面に形成された筋状の凹凸は、断熱姿勢時における空気封入体１４の形状保持を目的としているが、必ずしも凹凸を形成する必要はなく、空気封入体１４の表裏面をフラットに形成しても良い。
【００２１】
小屋裏１には、上記構成の複数のエアマット１０・・が横並びに敷設されているが、これらエアマット１０・・は、小屋裏１によって覆われた各部屋２・・毎に、その天井裏４・・に対応してそれぞれ配置されている。具体的に、各エアマット１０・・は、各部屋２・・の直上の天井板３・・と略同等の大きさにそれぞれ形成されていて、それら天井板３・・を覆うようにしてそれぞれ配置されている。すなわち、１枚のエアマット１０によって、１つの部屋２の天井板３全体を覆っている。なお、必ずしもこのように配置する必要はなく、複数枚のエアマット１０・・によって１つの部屋２の天井板３全体を覆うようにしても良い。
【００２２】
このようにして配置されたエアマット１０・・は、それぞれが連通されることなく独立した状態となっており、それぞれ別々に姿勢切替を行うことができるようになっている。
【００２３】
給排気手段１１は、エアマット１０に対して接続パイプ１７を介して接続されたエアポンプからなり、例えば小屋裏１に設けられた図示しない架台上に設置されている。なお、給排気手段１１は、図２及び図４に示すように、１枚のエアマット１０に対して１つ接続されているが、複数枚のエアマット１０・・に対して１つ接続し、接続パイプ１７に設けた切替弁によって各エアマット１０・・への給排気を切り替えるように構成しても良い。
【００２４】
スイッチ１２・・は、各給排気手段１１・・に対応して設けられ、各給排気手段１１・・の作動開始停止信号、給排気切替信号等を出力するようになっている。これらスイッチ１２・・は、居住者が操作し易いように、例えば室内の壁面に設けられたコントロールパネル２０に一括して備え付けられ、これによって室内の１箇所において全てのスイッチ１２・・の操作が可能となっている。
【００２５】
制御手段１３は、図２に示すように、その入力側にスイッチ１２・・が接続され、出力側に給排気手段１１・・が接続された、例えばマイクロコンピュータからなり、スイッチ１２からの出力信号によって、作動させる給排気手段１１を選択して、その給排気手段１１の作動開始や作動停止、給排気動作の切替等を行うようになっている。この制御手段１３は、例えば上記のコントロールパネル２０に内蔵されている。なお、制御手段１３の出力側に、制御手段１３によって把握している各エアマット１０・・の状態（姿勢）を表示するモニターを接続して、このモニターをコントロールパネル２０に備え付けることで、各部屋２・・における断熱状態を一元管理しても良い。また、制御手段１３の入力側に、小屋裏１や各部屋２・・、屋外等の温度や湿度を検知する各種センサを接続して、これらセンサからの検知信号に基づいて各給排気手段１１・・を自動制御しても良い。
【００２６】
次に、上記構成の断熱システムにおける断熱制御について、図５乃至図９に基づいて説明する。なお、図５乃至図９に示す矢印は、熱の移動を視覚化して表したものである。この断熱システムにおいては、エアマット１０・・が断熱姿勢と非断熱姿勢との間で切替可能となっているので、以下のような断熱制御を行うことができる。例えば夏場の昼間、小屋裏１が室内よりも暑いときには、室内でスイッチ１２・・を操作することで、図５に示すように、エアマット１０・・を断熱姿勢として、小屋裏１からの熱が室内に伝わらないようにする。また、夏場の夜間、小屋裏１が室内よりも涼しいときには、室内でスイッチ１２・・を操作することで、図６に示すように、エアマット１０・・を非断熱姿勢として、室内の熱を小屋裏１に逃す。冬場の昼間、小屋裏１が室内よりも暖かいときには、室内でスイッチ１２・・を操作することで、図７に示すように、エアマット１０・・を非断熱姿勢として、小屋裏１の熱を室内に取り入れる。また、冬場の夜間、小屋裏１が室内よりも寒い時には、室内でスイッチ１２・・を操作することで、図８に示すように、エアマット１０・・を断熱姿勢として、室内の熱が小屋裏１に逃げないようにする。
【００２７】
このように、室内でのスイッチ１２・・の操作により、エアマット１０・・を断熱姿勢と非断熱姿勢との間で切り替えて、季節毎、昼夜毎に変化する小屋裏１の熱環境に応じた断熱制御を行うことで、単に断熱のみを行うときと比べて、室内の冷暖房効率を高めて、省エネルギー化を実現することができる。
【００２８】
また、各部屋２・・毎にその天井裏４・・に対応してエアマット１０・・をそれぞれ配置して、それらエアマット１０・・の姿勢を別々に切替可能としているので、例えば図９に示すように、南側の部屋２に対応するエアマット１０を非断熱姿勢として、小屋裏１と室内との間での熱移動を許容し、北側の部屋２に対応するエアマット１０を断熱姿勢として、小屋裏１と室内との間での熱移動を遮断するといったように、各部屋２・・毎に断熱制御が可能となっている。
【００２９】
図１０は、エアマット１０の変形例を示している。このエアマット１０は、一対の空気封入体１４、１４をそれら大径及び小径筒部１５、１６が互いに直交するようにして、上下に積層してなる。そして、これら空気封入体１４、１４の内部空間同士が通気路１８すなわち通気パイプを介して連通され、下側の空気封入体１４には、接続パイプ１７を介して給排気手段１１が接続されている。このようなエアマット１０を用いることで、エアマット１０内の空気の対流を抑えながらも、エアマット１０の厚みを増大して、断熱性能の向上を図ることができる。なお、空気封入体１４の積層数は、二層に限らず、三層以上としても良い。
【００３０】
図１１は、エアマット１０の別の変形例を示している。このエアマット１０は、複数の規定寸法（例えば縦横の長さＷが１ｍ）の空気封入体１４・・を、各部屋２・・の直上の天井板３・・と略同等の大きさになるように、横並びに組み合わせてなる。そして、これら空気封入体１４・・の内部空間同士が通気路１８・・すなわち通気パイプを介して連通され、いずれか１つの空気封入体１４には、接続パイプ１７を介して給排気手段１１が接続されている。このようなエアマット１０を用いることで、空気封入体１４・・の個数や配置を適宜調節するだけで、所望の大きさや形状のエアマット１０を簡単に形成することができ、設備費の低減及び施工性の向上を図ることができる。
【００３１】
以上に、この発明の実施形態について説明したが、この発明は、上記実施形態に限定されるものではなく、この発明の範囲内で種々変更して実施することが可能である。
【符号の説明】
【００３２】
１・・小屋裏、２・・部屋、１０・・エアマット、１１・・給排気手段、１２・・スイッチ、１３・・制御手段、１４・・空気封入体、１８・・通気路（通気パイプ）
【図１】
0005413053.tif 000002
【図２】
0005413053.tif 000003
【図３】
0005413053.tif 000004
【図４】
0005413053.tif 000005
【図５】
0005413053.tif 000006
【図６】
0005413053.tif 000007
【図７】
0005413053.tif 000008
【図８】
0005413053.tif 000009
【図９】
0005413053.tif 000010
【図１０】
0005413053.tif 000011
【図１１】
0005413053.tif 000012